(57)【要約】【課題】ユーザに応じて異なるサービスを提供できるトイレシステムを実現する。【解決手段】本発明に係るトイレシステムは、トイレを利用するユーザの端末が保持する識別情報を取得する取得部と、取得部が取得した識別情報に基づいて、ユーザに提供すべき出力情報を特定する特定部と、特定部が特定した出力情報を出力する出力部とを有する。【選択図】図２
2014213186.tif 000002
【特許請求の範囲】
【請求項１】
トイレを利用するユーザの端末が保持する識別情報を取得する取得部と、
前記取得部が取得した前記識別情報に基づいて、前記ユーザに提供すべき出力情報を特定する特定部と、
前記特定部が特定した前記出力情報を出力する出力部と、
を有するトイレシステム。
【請求項２】
前記特定部は、順序が予め定められている複数の情報のうち、前記識別情報に対応付けてデータ記憶部に保持されている、表示済みの情報を示すデータに基づいて、当該表示済みの情報の次に表示すべき情報を前記出力情報として特定する
請求項１に記載のトイレシステム。
【請求項３】
前記トイレが備えるセンサが検知した、利用者の有無を示すデータを、複数のトイレから受信し、混雑の度合いを示す混雑情報を生成する混雑情報生成部
をさらに有し、
前記出力ステップにおいて他のトイレの混雑情報を出力する
請求項１又は２に記載のトイレシステム。
【請求項４】
前記特定部は、前記識別情報に基づいて、当該識別情報に対応付けて記憶されている設定変更データを特定し、
前記特定部が特定した設定変更データに基づいて、トイレが備える機器の設定を変更する制御部、
をさらに有する請求項１から３のいずれか一項に記載のトイレシステム。
【請求項５】
前記トイレが備える機器の設定は、便座の温度、温水洗浄便座の水勢、温水洗浄便座の水温、ノズルの位置、ノズルの方向、トイレ用擬音装置の音、及び芳香剤の種類のうち少なくとも１つ以上を含む
請求項４に記載のトイレシステム。
【発明の詳細な説明】
【技術分野】
【０００１】
本発明は、トイレシステムに関する。
【背景技術】
【０００２】
従来、ユーザのトイレ使用段階に応じてユーザに情報を提供するトイレシステムが提案されていた。例えば、表示手段と、各種センサと、制御部とを備え、制御部は、トイレ使用者がトイレに入室したときから排便を開始するまでの第１段階、排便中の第２段階、排便終了から退室までの第３段階、の各段階に異なる表示を行わせるトイレ用表示システムが挙げられる（特許文献１を参照）。
【先行技術文献】
【特許文献】
【０００３】
【特許文献１】特許第３７７３３１２号公報
【発明の概要】
【発明が解決しようとする課題】
【０００４】
従来、ユーザのトイレ使用段階に応じてユーザに情報を提供するトイレシステムは提案されていたが、ユーザ毎に異なるサービスを提供できるトイレシステムは存在しなかった。そこで、本発明は、ユーザに応じて異なるサービスを提供できるトイレシステムを実現することを目的とする。
【課題を解決するための手段】
【０００５】
本発明に係るトイレシステムは、トイレを利用するユーザの端末が保持する識別情報を取得する取得部と、取得部が取得した識別情報に基づいて、ユーザに提供すべき出力情報を特定する特定部と、特定部が特定した出力情報を出力する出力部とを有する。
【０００６】
このようにすれば、端末の識別情報に応じて異なる出力情報が出力される。すなわち、端末を所持するユーザに応じて異なるサービスを提供できるようになる。
【０００７】
また、特定部は、順序が予め定められている複数の情報のうち、識別情報に対応付けてデータ記憶部に保持されている、表示済みの情報を示すデータに基づいて、当該表示済みの情報の次に表示すべき情報を出力情報として特定するようにしてもよい。このようにすれば、識別情報毎に情報表示の進度を管理し、前回の続きに相当する情報を出力することができるようになる。
【０００８】
また、トイレが備えるセンサが検知した、利用者の有無を示すデータを、複数のトイレから受信し、混雑の度合いを示す混雑情報を生成する混雑情報生成部をさらに有し、出力ステップにおいて他のトイレの混雑情報を出力するようにしてもよい。このようにすれば、ユーザは他のトイレの混雑情報を知ることができるようになる。
【０００９】
また、特定部は、識別情報に基づいて、当該識別情報に対応付けて記憶されている設定変更データを特定し、特定部が特定した設定変更データに基づいて、トイレが備える機器の設定を変更する制御部をさらに有するようにしてもよい。このようにすれば、端末の識別情報に応じて機器の設定を変更することができる。すなわち、端末を所持するユーザに応じて異なるサービスを提供できる。
【００１０】
なお、トイレが備える機器の設定は、便座の温度、温水洗浄便座の水勢、温水洗浄便座
の水温、ノズルの位置、ノズルの方向、トイレ用擬音装置の音、及び芳香剤の種類のうち少なくとも１つ以上を含むようにしてもよい。
【００１１】
なお、上記した課題を解決するための手段に記載の内容は、本発明の課題や技術的思想を逸脱しない範囲で可能な限り組み合わせることができる。
【発明の効果】
【００１２】
本発明によれば、ユーザに応じて異なるサービスを提供できるトイレシステムを実現することができる。
【図面の簡単な説明】
【００１３】
【図１】システム構成の一例を示す図である。
【図２】トイレの一例を示す斜視図である。
【図３】トイレの一例を示す機能ブロック図である。
【図４】サーバの一例を示す機能ブロック図である。
【図５】端末の一例を示す機能ブロック図である。
【図６】コンピュータの一例を示す装置構成図である。
【図７】トイレが実行する処理の一例を示す処理フローである。
【図８】進度を管理するための情報の一例を示すテーブルである。
【図９】ユーザが登録する、利用を希望する設備の一例を示すテーブルである。
【図１０】ユーザが登録する、設備の設定の一例を示すテーブルである。
【発明を実施するための形態】
【００１４】
以下、本発明の実施の形態について、図面に基づいて説明する。なお、実施の形態は本発明の一例であり、本発明の構成は以下の例には限られない。
【００１５】
＜システムの構成＞
図１は、本実施の形態に係るシステム全体の構成を示す図である。本実施の形態に係るシステムは、トイレ１と、サーバ２と、端末３（図１では３ａ及び３ｂ）とを含み、これらがインターネット等のネットワーク４を介して相互に接続されている。なお、トイレ１と端末３とは、無線通信により直接通信できるようにしてもよい。
【００１６】
トイレ１は、例えば百貨店等の商業施設や駅等における、公衆が利用するトイレに備えられる。図１では１つのトイレ１を示しているが、トイレ１は、例えば複数の建物の各々や、建物のフロアの各々に備えられる。また、トイレの利用者（「ユーザ」とも呼ぶ）は、所持している携帯電話機やスマートフォン等のモバイル端末に予め所定のアプリケーション（「プログラム」又は「ソフトウェア」とも呼ぶ）をインストールしておく。これにより、各ユーザに応じたサービスを受けることができるようになったり、端末３をトイレ１と直接通信させることができるようになる。なお、図１には２つの端末３（３ａ及び３ｂ）を示しているが、端末の数も２つに限られない。
【００１７】
図２は、トイレ１の一例を示す斜視図である。トイレ１は、制御部１１と、ネットワーク通信部１２と、トイレブース１４とを備えている。制御部１１は、マイクロコントローラやＣＰＵ（Central Processing Unit）等のような、プログラムを実行する処理装置で
あり、本実施の形態に係る処理を制御する。なお、制御部１１は、図示していないデータ記憶部１３と接続されており、データの読み出しや書き込みを行うことができるものとする。また、ネットワーク通信部１２は、例えば携帯電話回線網やイントラネット等を介してネットワーク４と接続するためのネットワークアダプタである。トイレブース１４は、便器等を備える空間であり、例えば個室状に仕切られている。なお、男性用の小便器の周囲の空間をトイレブース１４としてもよい。また、トイレ１は、トイレブース１４を複数
備えていてもよく、この場合、例えば１つの制御部１１が複数のトイレブース１４を制御する。
【００１８】
トイレブース１４は、端末通信部１４１と、情報出力部１４２と、センサ１４３（ドアロックセンサ１４３Ａ、着座センサ１４３Ｂ及び排水センサ１４３Ｃ）と、制御部１４４とを備えている。端末通信部１４１は、端末３と直接通信を行う。例えば、端末通信部１４１は、無線ＬＡＮやBluetooth等、所定の通信方式によりユーザの所持している端末３
と通信を行い、端末３を検知したり、端末３から識別情報を受信したりする。なお、例えば電波の出力や使用する周波数帯により端末通信部１４１の通信範囲をトイレブース１４内に限定し、トイレブース１４に侵入した端末３を特定できるようにする。なお、端末通信部１４１は、本発明における、ユーザ端末が保持する識別情報を取得する取得部に相当する。
【００１９】
情報出力部１４２は、例えば液晶モニタやスピーカ等の出力装置であり、例えばデータ記憶部１３に保持されている映像又は音声を出力することができる。また、ドアロックセンサ１４３Ａは、ドア１４６がロックされたことを検知する。着座センサ１４３Ｂは、例えば便座上に設けられた赤外線差センサ等の人感センサ又は便座に設けられた圧力センサであり、ユーザが便座に座ったことを検知する。排水センサ１４３Ｃは、排水されたことを検知する。なお、図示していないが、センサ１４３はそれぞれ制御部１１と有線又は無線により接続されているものとする。なお、情報出力部１４２は、本発明における、出力部に相当する。
【００２０】
トイレブース１４の制御部１４４は、図示していないデータ記憶部１４５に記憶されている、便座温度、温水洗浄便座の水勢、水温、ノズル位置又は方向、トイレ用擬音装置の音、芳香剤の種類等の情報に基づいて、便座ヒータ、温水洗浄便座、トイレ用擬音装置、芳香剤拡散装置等を制御する。なお、芳香剤拡散装置は、複数の芳香剤を備え、制御部１４４から指定された芳香剤を周囲の空間に拡散させる。
【００２１】
図３に、図２を用いて説明したトイレ１の機能ブロック図を示す。トイレ１は、制御部１１と、ネットワーク通信部１２と、データ記憶部１３と、トイレブース１４とを有する。制御部１１は、上述した処理装置であり、本実施の形態に係る処理を制御する。また、ネットワーク通信部１２は、上述したネットワークアダプタであり、ネットワーク４を介してサーバ２と通信することができる。データ記憶部１３は、例えばＨＤＤ（Hard Disk Drive）やＳＳＤ（Solid State Drive）、フラッシュメモリ等の記憶装置であり、例えば広告情報やトイレ１が導入されている建物に関する情報、同一の建物内にある他のトイレの混雑情報等、ユーザに提供するための情報を保持する。ユーザに提供するための情報は、例えば制御部１１がネットワーク４を介して取得する。
【００２２】
また、トイレブース１４は、端末通信部１４１と、情報出力部１４２と、センサ１４３と、制御部１４４と、データ記憶部１４５とを有する。端末通信部１４１、情報出力部１４２、センサ１４３及びデータ記憶部１４５は、制御部１１によって制御される。なお、各々の機能は、図２の斜視図を用いて説明した通りである。また、トイレブース１４の制御部１４４は、データ記憶部１４５の設定に基づいて、便座ヒータ、温水洗浄便座、トイレ用擬音装置、芳香剤拡散装置等を制御する。
【００２３】
図４に、サーバ２の機能ブロック図の一例を示す。サーバ２は、トイレ１の管理者によって運用されるコンピュータ装置であり、データ記憶部２１と、通信部２２とを有する。データ記憶部２１は、例えばＨＤＤやＳＳＤ、フラッシュメモリ等の記憶装置であり、ユーザに提供するための情報やユーザ毎のトイレに関する設定情報を記憶する。ユーザに提供するための情報としては、例えば広告情報やトイレ１が導入されている建物に関する情
報、同一の建物内にある他のトイレの混雑情報等が記憶される。トイレに関する設定情報としては、便座温度、温水洗浄便座の水勢、水温、ノズル位置又は方向、トイレ用擬音装置の音、芳香剤の種類等の情報がユーザ毎（すなわち、端末３が有する識別情報毎）に記憶される。通信部２２は、ネットワークアダプタであり、ネットワーク４を介してトイレ１等と通信することができる。また、通信部２２は、例えば端末の識別情報に基づいて、トイレ１に送信する、ユーザに提供する情報や設定を特定するものとする。すなわち、通信部２２は、本発明における特定部としても働く。
【００２４】
図５に、端末３の機能ブロック図の一例を示す。端末３は、データ記憶部３１と、通信部３２と、情報出力部３３とを有する。端末３は、ユーザが所持する携帯電話機やスマートフォン等のモバイル機器であり、通信部３２は、電話通信回線網を利用してネットワーク４と接続されている。また、通信部３２は、無線ＬＡＮやBluetooth等、所定の無線通
信方式により、トイレ１の端末通信部１４１と通信することができる。データ記憶部３１は、端末３の識別情報（すなわち、端末３を所持するユーザの識別情報）を記憶している。また、情報出力部３３は、例えば液晶モニタやスピーカ等の出力装置であり、例えばネットワーク４を介して取得した情報を出力することができる。なお、端末３は、図示していない操作部がユーザからの操作を受け付け、トイレに関する設定を、ネットワーク４を介してサーバ２に登録することもできる。
【００２５】
なお、サーバ２及び端末３は、図６に示すようなコンピュータである。図６は、コンピュータの一例を示す装置構成図である。例えば、コンピュータは、ＣＰＵ（Central Processing Unit）１００１、主記憶装置１００２、補助記憶装置１００３、通信ＩＦ（Interface）１００４、入出力ＩＦ（Interface）１００５、ドライブ装置１００６、通信バス
１００７を備えている。ＣＰＵ１００１は、プログラムを実行することにより本実施の形態で説明する処理を行う。主記憶装置１００２は、ＣＰＵ１００１が読み出したプログラムやデータをキャッシュしたり、ＣＰＵの作業領域を展開したりする。主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる設定情報などを記憶する。補助記憶装置１００３は、具体的には、ＨＤＤやＳＳＤ、フラッシュメモリ等である。主記憶装置１００２や補助記憶装置１００３は、図４に示したデータ記憶部２１や図５に示したデータ記憶部３１として働く。通信ＩＦ１００４は、他のコンピュータ装置との間でデータを送受信する。通信ＩＦ１００４は、具体的には、有線又は無線のネットワークカード等である。入出力ＩＦ１００５は、入出力装置と接続され、ユーザから入力を受け付けたり、ユーザへ情報を出力したりする。入出力装置は、具体的には、キーボード、マウス、ディスプレイ又はタッチパネル等である。ドライブ装置１００６は、フレキシブルディスク、ＣＤ（Compact Disc）、ＤＶＤ（Digital Versatile Disc）、ＢＤ（Blu-ray Disc）等の記録媒体に記録されたデータを読み出したり、記録媒体にデータを書き込んだりする。以上のような構成要素が、通信バス１００７で接続されている。なお、これらの構成要素は複数設けられていてもよいし、一部の構成要素（例えば、ドライブ装置１００６）を設けないようにしてもよい。また、入出力装置がコンピュータと一体に構成されていてもよい。そして、ドライブ装置で読み取り可能な可搬性の記憶媒体や、ＵＳＢメモリのような補助記憶装置、ネットワークＩＦなどを介して、本実施の形態で実行されるプログラムが提供されるようにしてもよい。そして、ＣＰＵ１００１がプログラムを実行することにより、上記のようなコンピュータをサーバ２又は端末３として機能させる。
【００２６】
＜システムの処理＞
次に、トイレ１が端末３を検知し、情報出力部１４２に情報を出力する例を説明する。なお、本実施の形態では、例えば、表示する情報として、予め順序が定められた複数の情報を用いる。そして、ユーザはトイレ１を利用するたびに前回の続きの情報を見ることが
できる。なお、予め登録されたユーザの設定に基づいて表示する情報を変更できるようにしてもよい。また、トイレ１の機器の設定について、予めユーザが希望する設定値を登録しておき、トイレ１を利用する際に設定が変更されるようにしてもよい。
【００２７】
図７は、トイレ１が実行する処理の一例を示す処理フローである。まず、トイレ１の端末通信部１４１は、通信可能領域内に存在する利用者の端末３を検知する（図７：Ｓ１）。本ステップでは、端末通信部１４１は、無線通信により利用者が所持する端末３からの応答を受け、ユーザがトイレブース１４に侵入したことを検知する。また、端末通信部１４１は、端末３に設定されている、端末３の識別情報を受信する。
【００２８】
そして、トイレ１の制御部１１は、ネットワーク４を介して端末３の識別情報をサーバ２へ送信する（Ｓ２）。本ステップでは、トイレ１は、端末３の識別情報を送信することにより、端末３３に出力すべき情報（「個別情報」とも呼ぶ）をサーバ２へ要求する。
【００２９】
その後、制御部１１は、ネットワーク４を介して、サーバ２から個別情報を取得する（Ｓ３）。個別情報とは、端末３の識別情報に応じた情報であり、具体的には、トイレブース１４の情報出力装置１４２に出力する情報である。なお、個別情報として、順序が定められた複数の情報のうちいずれの情報までを既に表示させたか（すなわち、情報表示の進度）を表す情報や、予めユーザがサーバ２に登録した設定情報（「個別の設定」とも呼ぶ）を取得するようにしてもよい。
【００３０】
また、制御部１１は、サーバ２から取得した個別情報に、個別の設定が存在するか判断する（Ｓ４）。個別の設定とは、トイレ１が備える機器の設定であって、ユーザの希望に合わせて変更できるものをいうものとする。本実施の形態では、例えば、便座の温度、温水洗浄便座の水勢、水温、ノズル位置又は方向、トイレ用擬音装置の音又は音量、拡散させる芳香剤の種類等を個別に設定できる。
【００３１】
個別の設定が存在すると判断された場合（Ｓ４：ＹＥＳ）、制御部１１は、トイレの設定を変更する（Ｓ５）。本ステップでは、制御部１１は、Ｓ３において取得した情報を、当該端末３の存在を検知したトイレブース１４のデータ記憶部１４５に記憶させる。具体的には、便座の温度、温水洗浄便座の水勢、水温、ノズル位置又は方向、トイレ用擬音装置の音又は音量、拡散させる芳香剤の種類等の設定を変更することができる。なお、トイレブース１４の制御部１４４は、データ記憶部１４５に保持されている設定に基づいて、機器を制御する。
【００３２】
また、Ｓ５の後、又はＳ４において個別の設定が存在しないと判断された場合（Ｓ４：ＮＯ）、トイレ１の情報出力部１４２は、情報を出力する（Ｓ６）。本ステップでは、データ記憶部１４５に記憶されている情報に基づいて、例えば、トイレブース１４に備えられた液晶ディスプレイに映像を表示したり、スピーカから音を出力したりする。また、液晶ディスプレイは、例えばＳ５において変更した設定に関する情報を表示するようにしてもよい。以上で、トイレ１の処理を終了する。
【００３３】
本実施の形態によれば、端末３の識別情報に応じて異なる情報を出力したり、機器の設定を経納することができる。すなわち、ユーザに応じて異なるサービスを提供できる。
【００３４】
＜処理の具体例１＞
トイレ１が、予め順序が定められた複数の広告情報のいずれかを個別情報としてサーバ２から取得する例について説明する。なお、複数の広告情報は、予めデータ記憶部１４５に記憶させておき、Ｓ３では端末３の識別情報に基づいて次に出力すべき情報を特定するための情報を取得するようにしてもよい。
【００３５】
具体的には、サーバ２は、例えば図８に示すような進度を管理するための情報を保持している。図８の表は、複数の広告情報表示の進度の列を有しており、識別情報毎にすでに表示した情報を示す番号が登録されている。なお、図８に示した複数の広告情報は、例えば、特定の商業施設のみで表示する広告や、特定の期間にのみ表示する広告であってもよい。そして、トイレ１の制御部１１は、Ｓ２において、所定の広告情報の進度を要求するようにしてもよい。
【００３６】
このような進度を示す情報を取得することで、制御部１１は、ユーザに対して出力すべき広告情報を特定することができる。一方、ユーザは連続する複数の情報のうち、前回の続きに当たる情報を視聴することができるようになる。
【００３７】
また、サーバ２は、例えば、ある識別情報に対応付けられている進度情報をトイレ１に応答した場合、当該識別情報に対応付けられている進度情報を１インクリメントする。なお、図８に示した進度情報の各々について、最終更新日時を記憶するようにしてもよい。そして、サーバ２は、最終更新日時から所定期間が経過していない場合（例えば、同一の日にちである場合）、保持している進度情報から１小さい値をトイレ１に対して応答するようにしてもよい。このようにすれば、所定期間が経過しなければ、ユーザは次の情報を見ることができなくなり、連続視聴が抑止される。
【００３８】
また、広告情報が動画等であって出力に所定の時間を要する場合は、ユーザがトイレブース１４を離れるまで（例えば、トイレの個室から出るまで）に広告情報の出力が終わったときに、サーバ２の進度情報を１インクリメントするようにしてもよい。この場合、例えば、制御部１１は、動画再生の終了タイミングと、個室の施錠及び開錠を検知するドアロックセンサが開錠を検知したタイミングとの先後を判断する。そして、ドアロックセンサが開錠を検知する前に動画の再生が終了した場合に、トイレ１のネットワーク通信部１２は、再生終了をサーバ２へ通知し、サーバ２は進度情報を１インクリメントさせるようにする。
【００３９】
また、広告情報が動画等であって出力に所定の時間を要する場合、端末３に対してすでに出力した時間をサーバ２に記憶させておき、その続きを出力できるようにしてもよい。この場合、例えば、端末通信部１４１が通信可能領域から端末３を検知できなくなるまでに出力した分をすでに出力したものとして、すでに出力した時間をサーバ２に記憶させるようにしたり、ドアロックセンサが開錠を検知するまでに出力した分をすでに出力したものとして、すでに出力した時間をサーバ２に記憶させるようにする。
【００４０】
＜処理の具体例２＞
ユーザに提供する情報として、近隣のトイレの混雑状況や設備の有無を示す情報を出力するようにすることもできる。混雑状況を出力する場合、情報の出力は、例えばトイレの入口に備えられた液晶ディスプレイ等の情報出力部によって行う。また、トイレ１のセンサ１４３（例えば、ドアロックセンサや人感センサ）が、施錠又は開錠を検知し、例えばサーバ２がリアルタイムに情報を集計する。そして、例えば同一の建物のフロア毎にトイレブース１４が使用中である割合をサーバ２において算出し、混雑状況を示す情報として各トイレ１に送信し、表示する。このようにすれば、あるトイレが混雑している場合において、ユーザは他の階のトイレに移動した方が良いのか否か決定するための判断材料を得ることができる。
【００４１】
また、設備の有無を示す情報を出力する場合、例えば、ユーザが利用を希望する設備を予めサーバ２に登録しておき、図７のＳ１で検知した端末の識別情報に応じて、ユーザが利用を希望する設備を備える近隣のトイレに関する情報を出力する。例えば、ユーザは予
め図９に示すような情報をサーバ２に登録しておく。図９の表は、利用を希望する設備として、「多機能トイレ」、「トイレ用擬音装置」、「温水洗浄便座」、「おむつ交換台」、「子供用小便器」等の列を含む。そして、端末の識別情報毎に「必須」、「希望」又は「不要」の値が登録されている。また、サーバ２は、本実施の形態に係るシステムが導入されたトイレ１の各トイレブース１４が備える設備を登録したデータベースをデータ記憶部２１に有しているものとする。
【００４２】
サーバ２は、図７のＳ２で送信された識別情報を受信すると、例えば、当該ユーザが「必須」又は「希望」と設定している設備を有するトイレ１を、例えば同一の建物に存在するトイレ１の中から抽出し、当該トイレ１に関する情報を、Ｓ３においてユーザが存在するトイレ１に送信する。そして、トイレ１の情報出力部１４２は、例えば、当該ユーザが「必須」と設定している設備を有するトイレ１を、当該ユーザが「希望」と設定している設備を多く有する順に表示する。
【００４３】
なお、設備の有無を示す情報に加えて、上記の混雑状況を示す情報を出力するようにしてもよい。また、近隣のトイレの混雑状況や設備の有無を示す情報は、ネットワーク４を介してユーザの端末３からサーバ２へ直接問い合わせるようにしてもよい。この場合、例えばユーザによる端末３の操作を契機として、又は端末３がトイレブース１４への接近を検知したことを契機として、識別情報を含むなお、上記の設定は全てを設定できるようにする必要はなく、少なくとも一部を用いるようにしてもよい。
【００４４】
＜処理の具体例３＞
また、トイレが備える設備について、ユーザが予め希望する設定を登録しておき、Ｓ２で送信した識別情報に基づいてＳ３において希望する設定の情報を個別情報として取得するようにしてもよい。例えば、ユーザは、予め図１０に示すような設定をサーバ２に登録しておく。図１０の表は、希望する設定として、「便座の温度」、「温水洗浄便座の水勢」、「温水洗浄便座の水温」、「温水洗浄便座のノズル位置・方向」、「トイレ用擬音装置の音」、「芳香剤の種類」等の列を含む。これらを含む個別情報は、Ｓ５においてデータ記憶部１４５に登録されると、トイレブース１４の各設備に設定の変更が反映される。したがって、処理の具体例３によっても、ユーザに応じて異なるサービスを提供できる。
【００４５】
なお、トイレブース１４の情報出力部１４２には、設定を変更した旨の表示を行ってもよいし、一部の設備を有していない場合にはその旨の表示を行ってもよい。また、トイレブース１４の機器を操作してさらに設定の変更を行い、変更後の設定を、ネットワーク４を介してサーバ２に登録できるようにしてもよい。上記の設定は全てを設定できるようにする必要はなく、少なくとも一部を用いるようにしてもよい。
【００４６】
＜その他の変形＞
なお、本実施の形態における端末の識別情報は、端末３ごとに割り当てられる固有の識別情報であってもよいし、ユーザのグループごとに割り当てられる識別情報であってもよい。ユーザのグループごとに割り当てられる識別情報を用いるようにする場合も、ユーザのグループごとに異なるサービスを提供することができ、また、ユーザは、個人（端末）を一意に特定されることなく、カスタマイズされたサービスを受けることができる。
【００４７】
図７の例では、必ずＳ６を実行して情報を出力するものとしたが、Ｓ６を実行せずにＳ５の設定変更のみを行うような変形も可能である。また、上記の具体例及びその他の変形を組み合わせて実行するようにしてもよい。
【符号の説明】
【００４８】
１      トイレ
１１      制御部
１２      ネットワーク通信部
１３      データ記憶部
１４      トイレブース
１４１      端末通信部
１４２      情報出力部
１４３      センサ
１４４      制御部
１４５      データ記憶部
２      サーバ
２１      通信部
２２      データ記憶部
３      端末
３１      通信部
３２      データ記憶部
３３      情報出力部
４      ネットワーク
【図１】
2014213186.tif 000003
【図２】
2014213186.tif 000004
【図３】
2014213186.tif 000005
【図４】
2014213186.tif 000006
【図５】
2014213186.tif 000007
【図６】
2014213186.tif 000008
【図７】
2014213186.tif 000009
【図８】
2014213186.tif 000010
【図９】
2014213186.tif 000011
【図１０】
2014213186.tif 000012